(57)【要約】【課題】容易に保管できて、しかも保管時のサイズを小さくすることができる電気調理器を提供することを目的とする。【解決手段】調理用のプレートを加熱するヒータを有する調理器本体１６と、蓋体２４と、調理器本体１６の外底部に設けた脚部１９と、プレートと蓋体２４を調理器本体１６に載置して、蓋体２４を固定する係合部材１９ｄを具備し、脚部１９と係合部材１９ｄが連動して、調理時は立脚して係合部材１９ｄは蓋体２４を固定しない構成になり、脚部１９の収納時は係合部材１９ｄがプレート上に載置した蓋体２４を固定する。このため、別体のスタンド等を要することなく容易に機器の保管ができ、保管スペースも小さくできる。【選択図】  図１
2004167134.tif 000002
【特許請求の範囲】
【請求項１】
調理を行うプレートと、前記プレートを加熱するヒータを有する調理器本体と、前記プレートの上面を覆う蓋体と、前記調理器本体を支持する外底部の脚部とを備え、前記脚部は調理器本体に対して収納自在とするとともに、この脚部の収納時に蓋体を固定し立脚時には蓋体の固定を解除する係合部材を脚部と連動するように設けた電気調理器。
【請求項２】
脚部が調理器本体へ収納され蓋体の係合部材による固定時には、これと連動してヒータへの通電回路を開成するようにした請求項１に記載の電気調理器。
【請求項３】
脚部が調理器本体へ収納され蓋体の係合部材による固定時には、これと連動して給電用の接続器の接続を阻止するようにした請求項１に記載の電気調理器。
【請求項４】
給電用の接続器の接続時には、接続器により脚部の調理器本体への収納を阻止する請求項１に記載の電気調理器。
【請求項５】
脚部と連動する係合部材を段違いに複数設けた請求項１に記載の電気調理器。
【発明の詳細な説明】
【０００１】
【発明の属する技術分野】
本発明は一般家庭で用いられるホットプレート等の電気調理器に関するもので、保管する際に調理器本体の大きさを縮小して空間スペースを節減しうるものである。
【０００２】
【従来の技術】
従来、この種の電気調理器においては、機器の収納時に調理器本体と蓋とを組み合わせた状態で、両者を別体のスタンドで倒立挟持していた（例えば、特許文献１参照）。
【０００３】
【特許文献１】
実公平４−０１５１３９号公報
【０００４】
【発明が解決しようとする課題】
しかしながら、上記従来の構成では、調理器本体と別体のスタンドを用いるので、調理時にはスタンドが邪魔であり、また機器保管時にはスタンドが紛失してしまい保管できないという課題があった。また、スタンドの存在により、機器そのものよりも大きな保管のための空間スペースを確保しなければならないという課題もあった。
【０００５】
本発明は、前記従来の課題を解決するために、調理器本体と蓋体を別体の部材を用いることなく固定し容易に保管できるようにするとともに、大きな保管のための空間スペースを要しない電気調理器を提供することを目的としている。
【０００６】
【課題を解決するための手段】
前記目的を達成するために、本発明の電気調理器は、調理器本体を支持する脚部を調理器本体に対して収納自在とするとともに、この脚部の収納時に蓋体を固定し立脚時には蓋体の固定を解除する係合部材を脚部と連動するように設けたものである。
【０００７】
これにより、機器保管時には調理器本体と蓋体を脚部と連動する係合部材により固定し容易に保管できるとともに、別体の部材を用いることがなく機器そのものの大きさであるため大きな保管用の空間スペースを要しないものである。
【０００８】
【発明の実施の形態】
請求項１に記載の発明は、調理を行うプレートと、前記プレートを加熱するヒータを有する調理器本体と、前記プレートの上面を覆う蓋体と、前記調理器本体を支持する外底部の脚部とを備え、前記脚部は調理器本体に対して収納自在とするとともに、この脚部の収納時に蓋体を固定し立脚時には蓋体の固定を解除する係合部材を脚部と連動するように設けた電気調理器としたことにより、機器保管時には調理器本体と蓋体を脚部と連動する係合部材により固定し容易に保管できるとともに、機器そのものの大きさであるため大きな保管用の空間スペースを要しないものである。
【０００９】
請求項２に記載の発明は、脚部が調理器本体へ収納され蓋体の係合部材による固定時には、これと連動してヒータへの通電回路を開成するようにした請求項１に記載の電気調理器としたことにより、脚部の収納時にヒータへ通電されることがなく、調理器本体の底面部の高熱がテーブル等を加熱してしまうことがないため、安全使用ができる。
【００１０】
請求項３に記載の発明は、脚部が調理器本体へ収納され蓋体の係合部材による固定時には、これと連動して給電用の接続器の接続を阻止するようにした請求項１に記載の電気調理器としたことにより、脚部の収納時に不用意にヒータへ通電されることがなく、安全使用ができる。
【００１１】
請求項４に記載の発明は、給電用の接続器の接続時には、接続器により脚部の調理器本体への収納を阻止する請求項１に記載の電気調理器としたことにより、脚部収納による調理器本体の底面部の高熱でテーブル等が高温になる危険を防止できる。
【００１２】
請求項５に記載の発明は、脚部と連動する係合部材を段違いに複数設けた請求項１に記載の電気調理器としたことにより、調理器本体に複数のプレートを載置し蓋体とともに保管する際にも段違いに複数設けた係合部材により固定できるので、使い勝手がよくなる。
【００１３】
【実施例】
以下、本発明の実施例について図面を参照して説明する。
【００１４】
（実施例１）
図１〜図５は本発明の実施例１における電気調理器を示したものである。
【００１５】
図１、図２において、１１は調理を行うプレートであり、プレートを加熱するシーズヒータからなるヒータ１２上に着脱自在に載置する。ヒータ１２はヒータ支持金具１３を介して遮熱板１４に取り付けられている。遮熱板１４は補助脚１５を介して調理器本体１６に取り付けている。
【００１６】
調理器本体１６には、遮熱板１４の外周側面を覆う内壁１６ａと、内壁１６ａの上部に設けた上壁１６ｂと、上壁１６ｂの外周に設けた外壁１６ｃが設けてある。１６ｄは調理器本体１６の底面である。１８は脚取付金具１７に設けた軸である。１９は調理器本体１６を支持する機能を有する外底部の脚部であり、軸１８に取り付けた軸受け部１９ａと、調理器本体１６を支持する脚部材１９ｂと、軸受け部１９ａと脚部材１９ｂを連結した連結部Ａ１９ｃとを有する。これにより、脚部１９は調理器本体１６に対して、回動させることにより収納と立脚が自在となっている。１９ｄは後記する蓋体の係合部材で、連結部Ｂ１９ｅで軸受け部１９ａにつながっており、脚部１９と連動して揺動し脚部１９の収納時に蓋体を固定し、立脚時には蓋体の固定を解除するように動作する。この係合部材１９ｄは、脚部１９と連動するものであれば脚部１９と一体であっても別体であってもよい。なお、脚部１９および係合部材１９ｄは調理器本体１６の４箇所に設けられているものである。
【００１７】
２０は調理器本体１６の内壁１６ａと、上壁１６ｂと、外壁１６ｃからできる空間からなる格納部で、ここに設けたボス２１に前記脚取付金具１７が取り付けられており、脚部１９を回動して収納することができるものである。
【００１８】
そして、図３に示すように、調理器本体１６の上壁１６ｂの４隅には、開口部２２が設けてあり、ここに脚部１９の連結部Ｂ１９ｅが貫通しており、係合部材１９ｄが調理器本体１６の上壁１６ｂ外に位置している。２３は調理器本体１６に設けた凹部であり、ここには脚部１９の立脚時に係合部材１９ｄが収まるようになっている。
【００１９】
２４はプレート１１の上面を覆う蓋体で、プレート１１の側面壁１１ａ上方の開口縁に設けたフランジ１１ｂ上に載置されている。２５は蓋２４の上面４隅に設けた凹部からなる係合面であり、係合部材１９ｄの端部で押さえ込まれて固定されるようになっている。２６は蓋２４に取り付けた蓋つまみである。２７はプレート１１の把手であり、把手金具２８を介してプレート１１の左右に取り付けている。
【００２０】
なお、図４には係合部材１９ｄが凹部２３に収まっている状態を示し、図５には蓋体２４を固定している状態を示している。
【００２１】
以上の構成において、調理時はヒータ１２を加熱して、ヒータ１２上に載置したプレート１１は高温になり調理を行う。そのとき、脚部１９の脚部材１９ｂは調理器本体１６の底面１６ｄより下方に位置しており立脚状態にある。これにより、調理器本体１６を載せているテーブルから調理器本体１６の底面１６ｄが遠ざけており、ヒータ１２の熱がテーブル等に輻射するのを少なくしている。また、係合部材１９ｄは調理器本体１６の凹部２３に収まっているので、調理の邪魔にならず、また蓋２４の着脱に支障がない（図１〜図４の状態）。
【００２２】
機器の保管時には、図５のように脚部１９を回転移動して、脚部材１９ｄを調理器本体１６に設けた格納部２０に収めることにより、調理器本体１６の底面１６ｄより下側に何らの突出部がなくなる。同時に、ヒータ１２上にプレート１１が載っており、かつプレート１１上に蓋２４を載置している場合には、係合部材１９ｄの端部は蓋２４の係合面２５に当接して調理器本体１６にプレート１１と蓋２４を固定する。これにより、少ないスペースに機器を一体化して収納することができる。すなわち、調理器本体１６にプレート１１と蓋２４を固定するので、保管する際にこれらがずれることもなく、戸棚、収納ボックス等の上部の高い位置に持ち上げても、部品が落ちることがなく、安全にしかも狭い空間を活用して保管することができる。
【００２３】
（実施例２）
図６、図７は本発明の実施例２における電気調理器を示す。実施例１と基本構成は同様なので説明を省略し、異なる部分についてのみを説明する。
【００２４】
図において、３０は格納部２０内に設けた常閉式のスイッチであり、ヒータ１２への通電を開閉するものである。３１はスイッチ３０の押しボタンであり、
脚部１９の収納時に押されてスイッチ３０を開成するものである。
【００２５】
すなわち、図６に示す立脚状態である調理時は、スイッチ３０は閉成しており、ヒータ１２への通電が行われる。そして、図７に示すように脚部１９が回転し脚部材１９ｂが格納部２０に収納されると、脚部材１９ｂがスイッチ３０の押しボタン３１を押すことにより、スイッチ３０のヒータ１２への通電回路を開成する。これにより、脚部材１９ｂが調理器本体１６の格納部２０に収まっていて、係合部材１９ｄが蓋２４を固定して蓋２４が容易に外せないときにはヒータ１２への通電ができないようになっている。
【００２６】
したがって、調理器本体１６が脚部１９で支えられていない状態（保管時）には、調理器本体１６の底面１６ｄがテーブル等に接近して加熱されてしまう恐れがあるが、その危険を防止することができる。
【００２７】
（実施例３）
図８、図９は本発明の実施例３における電気調理器を示す。実施例１と基本構成は同様なので説明を省略し、異なる部分についてのみを説明する。
【００２８】
図において、４０は脚部材１９ｂの側面に突出して設けた遮蔽壁で、プラグ受け４２と対応する脚部材１９ｂのみに設けている。４１はプラグ受け４２に取り付けた角であり、この角４１と反対側の調理器本体１６内部に角板４３が取り付けてあり、角板４３はヒータ１２の端子４４とつながっている。４５はプラグ受け４２の下壁であり、この下壁４５には脚部材１９ｂの回動時に遮蔽壁４０がプラグ受け４２内に突出することができる開口穴４６が設けてある。４７はプラグ受け４２内において角４１と着脱自在に接続されヒータ１２に電流を供給する接続器である。
【００２９】
以上の構成において、図８は脚部材１９ｂが調理器本体１６の下方に位置する立脚状態で、調理を行う状態にあり、接続器４７をプラグ受け４２に着脱自在に接続している。機器の保管時には、図９に示すように、脚部材１９ｂを回動させることにより、遮蔽壁４０が開口穴４６を通してプラグ受け４２の内部に入り込むため、この状態では接続器４７を接続することができない。したがって、機器の保管時にはヒータ１２に通電することができず、調理器本体１６を載置したテーブル等が加熱される危険を防止することができる。
【００３０】
（実施例４）
図１０、図１１は本発明の実施例４における電気調理器を示す。実施例１と基本構成は同様なので説明を省略し、異なる部分についてのみを説明する。
【００３１】
図において、５０は脚部１９の軸受け部１９ａに固定して設けた連結部Ｃであり、脚部１９と連動して回動する。５１は連結部Ｃ５０の先端部であり、脚部材１９ｂが調理器本体１６の下方に位置する立脚状態では先端部５１が接続器４７の下部に位置している。
【００３２】
そして、図１０に示すように、接続器４７がプラグ受け４２に接続されている際には、接続器４７に当たって先端部５１の回転移動を阻止する構成になっており、脚部材１９ｂが調理器本体１６の内部に格納できないようになっている。
【００３３】
また、図１１のように接続器４７がプラグ受け４２から外されているときには、脚部１９は回転することができて、脚部材１９ｂは調理器本体１６内に格納することができる。なお、プラグ受け４２の構成は、連結部Ｃ５０の先端部５１が自由に回転移動できるようになっているものである。
【００３４】
以上より、通電時には脚部材１９ｂが調理器本体１６内に移動することを防止でき、接続器４７が外されているときには、脚部材１９ｂは回動して調理器本体１６内に格納することができる。したがって、各実施例と同様、調理器本体１６を載置したテーブル等が加熱される危険を防止することができる。
【００３５】
（実施例５）
図１２、図１３は本発明の実施例５における電気調理器を示す。実施例１と基本構成は同様なので説明を省略し、異なる部分についてのみを説明する。
【００３６】
図において、６０は脚部１９の連結部Ｂ１９ｅの先に設けた連結部Ｄ、６１は連結部Ｄ６０の先端に設けた係合部材である。この係合部材６１は、係合部材１９ｄとは別に段違いに設けたものであり、脚部１９と連動して回動するものである。なお、係合部材６１は１つだけではなく複数設けることもできる。
【００３７】
これにより、図１２に示すように、調理時、すなわち立脚時には係合部材１９ｄ、６１は凹部２３内に位置しているが、図１３に示すように、機器の保管時には係合部材６１が蓋２４の係合面２５を押えてプレート１１とともに調理器本体１６に固定するものである。図１３はプレート１１を２枚重ねて収納しようとしたものであり、２枚重ねの分、蓋２４が調理器本体１６上に高く位置しているが、係合部材６１が蓋２４の係合面２５を押えることができる。
【００３８】
したがって、例えば種類の異なる複数のプレートを一緒に重ねて収納することが可能であり、使い勝手がよいものである。
【００３９】
【発明の効果】
以上のように、本発明の電気調理器によれば、機器保管時には調理器本体と蓋体を脚部と連動する係合部材により固定し容易に保管できるとともに、保管時は脚部が収納され機器そのものの大きさであるため大きな保管用の空間スペースを要しないものである。
【図面の簡単な説明】
【図１】本発明の実施例１における電気調理器の立脚状態の要部側断面図
【図２】同電気調理器の全体を示す断面図
【図３】同電気調理器の全体を示す平面図
【図４】同電気調理器の図１とは異なる位置での要部側断面図
【図５】同電気調理器の脚部を収納状態にセットした状態の要部側断面図
【図６】本発明の実施例２における電気調理器の立脚状態の要部側断面図
【図７】同電気調理器の脚部を収納状態にセットした状態の要部側断面図
【図８】本発明の実施例３における電気調理器の立脚状態の要部側断面図
【図９】同電気調理器の脚部を収納状態にセットした状態の要部側断面図
【図１０】本発明の実施例４における電気調理器の立脚状態の要部側断面図
【図１１】同電気調理器の脚部を収納状態にセットした状態の要部側断面図
【図１２】本発明の実施例５における電気調理器の立脚状態の要部側断面図
【図１３】同電気調理器の脚部を収納状態にセットした状態の要部側断面図
【符号の説明】
１１  プレート
１２  ヒータ
１６  調理器本体
１９  脚部
１９ｂ  脚部材
１９ｄ、６１  係合部材
２４  蓋
２５  係合面
３０  スイッチ
４０  遮蔽壁
４２  プラグ受け
５１  先端部
【図１】
2004167134.tif 000003
【図２】
2004167134.tif 000004
【図３】
2004167134.tif 000005
【図４】
2004167134.tif 000006
【図５】
2004167134.tif 000007
【図６】
2004167134.tif 000008
【図７】
2004167134.tif 000009
【図８】
2004167134.tif 000010
【図９】
2004167134.tif 000011
【図１０】
2004167134.tif 000012
【図１１】
2004167134.tif 000013
【図１２】
2004167134.tif 000014
【図１３】
2004167134.tif 000015